(57)【要約】      （修正有）【課題】甲被内側の側面に着脱自在に装着して靴のフィッティングをする。【解決手段】甲被Ａ１内側の側面Ａ２に着脱可能に装着される靴用インナーパッド１であって、クッション性を有するパッド本体２と、パッド本体２の一端面２０に設けられ、側面Ａ２に掛脱自在に掛合する複数の掛合体３０とを備えている。【選択図】図１
2011224093.tif 000002
【特許請求の範囲】
【請求項１】
甲被内側の側面に着脱可能に装着される靴用インナーパッドであって、クッション性を有するパッド本体と、該パッド本体の一端面に設けられ、前記側面に掛脱自在に掛合する複数の掛合体と、を備えていることを特徴とする靴用インナーパッド。
【請求項２】
甲被内側の側面に着脱可能に装着される靴用インナーパッドであって、前記側面の範囲内に装着可能な形状のクッション性を有するパッド本体と、該パッド本体の一端面に設けられ、前記側面に掛脱自在に掛合する複数の掛合体と、を備えていることを特徴とする靴用インナーパッド。
【請求項３】
前記掛合体は、前記パッド本体の全域又は一部に固着された雄側の面状ファスナであることを特徴とする請求項１又は２記載の靴用インナーパッド。
【請求項４】
前記靴用インナーパッドは、他端面にサイズ変更用の切り取り線を有していることを特徴とする請求項１乃至３いずれか１項記載の靴用インナーパッド。
【発明の詳細な説明】
【技術分野】
【０００１】
本発明は、甲被の内側の側面に着脱可能な機能を有する靴用インナーパッドに関する。
【背景技術】
【０００２】
靴用インナーパッドは、靴内に挿入することにより、靴のフィッティングが行えるものが知られている。下記特許文献１に記載のものは、甲の高さを調整する底パッドと、足の幅を調整する横パッドを備えてなるものであり、靴内に挿入することで装着できるようになっている。また、必要に応じて中底に底パッドを接着することにより、靴用インナーパッドを靴内に固着することもできるようになっている。
【先行技術文献】
【特許文献】
【０００３】
【特許文献１】特開２００５−２９６６０４号公報
【発明の概要】
【発明が解決しようとする課題】
【０００４】
特許文献１に記載の靴用インナーパッドによると、底パッドによって甲の高さを調整し、横パッドによって足幅を調整することができるため、より正確に靴のフィッティングを行うことができる。また、接着せずに挿入するようにしておくことによって、他の靴にも使用することができる。しかしながら、このような靴用インナーパッドは、中底を高くしてしまうため、各種競技用シューズに使用する場合に、逆に靴のバランスを崩してしまうという問題がある。
【０００５】
また、このような競技用シューズには、通常の靴よりも大きな力が加わるため、靴用インナーパッドを靴内でずれないように固着する必要がある。しかしながら、１００％の力を発揮するには、靴用インナーパッドの位置を現在の足の状況や使用する靴の形状によって合わせることが必要であるため、靴用インナーパッドを固着するとその後の調整を行うことができないという問題がある。
【０００６】
更に、このような靴用インナーパッドをスケート場等で貸し出されるレンタル靴に使用する場合、返却時には、靴用インナーパッドを取外す必要があるため、靴に固着することはできない。すなわち、スケーティング中に靴内で靴用インナーパッドがずれたときには、その度に靴を脱いで靴用インナーパッドの再調整を行う必要があるし、この調整を行わないと、靴内で足がずれて、スケーティングがうまくできなかったり足にマメができてしまったり等が生じるという問題がある。
【０００７】
本発明は、このような問題に対処することを課題の一例とするものである。すなわち、甲被内側の側面に装着して靴のフィッティングができるようにすること、甲被内側の側面に着脱可能に装着できるようにすること、甲被内側の側面に装着して靴のフィッティングをすることで、靴のバランスの崩れを防止できるようにすること、甲被内側の側面に着脱可能に装着することで、靴内での靴用インナーパッドのずれを防止できるようにするとともに、靴用インナーパッドを他の靴にも使用できるようにすること、靴用インナーパッドのずれを防止することで、足のホールド性能の低下を防止できるようにするとともに、靴着用後の靴用インナーパッドの再調整を不要にできるようにすること、等が本発明の目的である。
【課題を解決するための手段】
【０００８】
このような目的を達成するために、本発明による靴用インナーパッドは、以下の構成を少なくとも具備するものである。
【０００９】
甲被内側の側面に着脱可能に装着される靴用インナーパッドであって、クッション性を有するパッド本体と、該パッド本体の一端面に設けられ、前記側面に掛脱自在に掛合する複数の掛合体と、を備えていることを特徴とする。
【００１０】
甲被内側の側面に着脱可能に装着される靴用インナーパッドであって、前記側面の範囲内に装着可能な形状のクッション性を有するパッド本体と、該パッド本体の一端面に設けられ、前記側面に掛脱自在に掛合する複数の掛合体と、を備えていることを特徴とする。
【発明の効果】
【００１１】
本発明によれば、クッション性を有するパッド本体に備えられた掛合体が、甲被内側の側面に掛脱自在に掛合するようにしているので、甲被内側の側面に装着して靴のフィッティングができるとともに、甲被内側の側面に着脱可能に装着できる。しかも、甲被内側の側面に装着して靴のフィッティングをすることで、靴のバランスの崩れを防止できる。更に、甲被内側の側面に着脱可能に装着することで、靴内での靴用インナーパッドのずれを防止できるとともに、靴用インナーパッドを他の靴にも使用できる。また、靴用インナーパッドのずれを防止することで、足のホールド性能の低下を防止できるとともに、靴着用後の靴用インナーパッドの再調整を不要にできる。
【図面の簡単な説明】
【００１２】
【図１】靴用インナーパッドの第１実施形態を示す構成図。
【図２】靴用インナーパッドの装着状態を示す構成図。
【図３】靴用インナーパッドの第２実施形態を示す構成図。
【発明を実施するための形態】
【００１３】
本発明のパッド本体は、クッション性を有するものであればよく、その素材として、例えば、クロロプレン系発泡ゴム材、シリコン系発泡ゴム材、エチレンプロピレン系発泡ゴム材、エチレンプロピレンジエン系発泡ゴム材、ウレタン系発泡樹脂材等が挙げられる。
【００１４】
また、本発明の掛合体は、パッド本体の全域又は一部に固着された雄側の面状ファスナであることを特徴とする。
【００１５】
また、本発明の靴用インナーパッドは、表面にサイズ変更用の切取り線を有していることを特徴とする。
【００１６】
以下、本発明に係る靴用インナーパッド（以下「パッド」という）１の実施形態を図面に基づいて説明する。本実施形態では、パッド１を使用する靴Ａとしてアイススケート靴を例示する。図１は、パッド１の第１実施形態を示す構成図であり、図１（ａ）は表面図、図１（ｂ）は裏面図、図１（ｃ）は、図１（ａ）の（ｃ）−（ｃ）線に沿う部分拡大断面図で
ある。
【００１７】
パッド１は、パッド本体２と、パッド本体２の一端面２０側に接着された面状ファスナ３と、パッド本体２の他端面２１側に接着されたカバーシート４とから構成されたものであり、靴Ａの甲被Ａ１内側の側面Ａ２の範囲内に装着可能な形状となるように裁断形成されている。このパッド１は、靴Ａの甲被Ａ１内側の側面Ａ２の範囲に合わせて裁断することにより、最大サイズの靴Ａから最小サイズの靴Ａまで対応できるフリーサイズのものである。また、このパッド１は靴Ａの内側用と外側用があり、夫々、この靴Ａの内側と外側に適合した形状に形成されている。
【００１８】
尚、本実施形態のパッド１は、靴Ａの外側用のものを例示する。また、本実施形態でいうパッド本体２の一端面２０とは、側面Ａ２に対向する面であり、以下では、表面２０という。また、パッド本体２の他端面２１とは、靴Ａ内の足（図示せず）に対向する面であり、以下では、裏面２１という。また、本実施形態でいう甲被Ａ１内側の側面Ａ２とは、靴Ａのつま先部Ａ３及びかかと部Ａ４並びに底部Ａ５を除いた部位である。  
【００１９】
パッド本体２は、クロロプレン系発泡ゴム材等からなるものであり、側面Ａ２の凹凸形状及び足（図示せず）の凹凸形状に沿うように変形する柔軟性を備えている。具体的には、最大サイズとする靴Ａの側面Ａ２の大きさよりも大きくなるように形成されている。
【００２０】
面状ファスナ３は、多数の掛合体３０を有する雄側のものであり、パッド本体２の表面２０に、この表面２０の中央部を除く全域に接着されている。具体的には、面状ファスナ３の外周縁３１がパッド本体２の外周縁２２と適合しており、面状ファスナ３の内周縁３２が最小サイズとする靴Ａの側面Ａ２の大きさより小さくなるように形成されている。
【００２１】
カバーシート４は、伸縮性及び柔軟性を有する薄い布地であり、カバーシート４の外周縁４１がパッド本体２の外周縁２２と適合するように、パッド本体２の裏面２１の全域に接着されている。このカバーシート４は、良好な履き心地の確保、パッド本体２の保護、パッド１の装飾等を行うためのものであり、足を直接パッド本体２に触れないようにすることで良好な履き心地を確保するとともに、パッド本体２の磨耗の抑制をすることができ、着色や模様を施すことで良好なデザイン性を確保することができる。このカバーシート４の素材は、ジャージ、ニット等、伸縮性を有する薄い布地であればよい。
【００２２】
このカバーシート４の表面には、サイズ変更用の切り取り線４２〜４５が設けられている。この切り取り線４２〜４５の形状は、パッド１の上端側から先端側へ亘る形状と相似形であり、靴Ａのサイズに対応する切り取り線４２〜４５に沿って裁断することによって、パッド１を目的の形状及び大きさにするようになっている。また、切り取り線４２が最小サイズの靴Ａに対応しており、この切り取り線４２で細断した場合に、パッド本体２の表面に面状ファスナ３が残るようになっている。
【００２３】
尚、本実施形態では、切り取り線４２〜４５を５ｍｍごとの間隔で設けた形態で例示しているが、本発明は、このような形態に限定するものではない。例えば、切り取り線４２〜４５の本数を増減してもよいし（図示せず）、切り取り線４２〜４５の間隔を狭くして、パッド１の大きさの微調整を行えるようにしてもよい（図示せず）。更に、男性用、女性用、子供用の切り取り線４２〜４５を一枚のパッド１のカバーシート４に設けて、一枚のパッド１で男性、女性、子供が使用できるようにしてもよい（図示せず）。
【００２４】
図２は、パッド１の装着状態を示す概略構成図である。パッド１を装着する靴Ａは、側面Ａ２に良好な履き心地を確保するためのクッション材Ａ２０を配したものである。このクッション材Ａ２０はスポンジ材Ａ２１の表面に起毛布地Ａ２２を接着してなるものであり、この起毛布地Ａ２２の起毛部分に面状ファスナ３の掛合体３０が掛合することにより、パッド１が側面Ａ２に装着されるようになっている。パッド１の取外しは、パッド１を側面から剥がすように引っ張って、起毛部分に対する掛合体３０の掛合を外すことにより行うことができる。
【００２５】
起毛布地Ａ２２を有するクッション材については、履き心地の確保及び保温ということから、通常、例示したアイススケート靴に配されているものである。また、クッション材Ａ２０は、起毛布地Ａ２２に換えて網目の細かい網状体（図示せず）が配されているものもあり、このようなクッション材Ａ２１においても前述の網状体の網目に掛合体３０を掛合させることができる。すなわち、本実施形態のパッド１は、掛合体３０を掛合させることができる部材（起毛布地Ａ２２、網目の細かい網状体等）を有したクッション材Ａ２１が配された靴Ａであれば、靴Ａの種類にかかわらず装着することができる。このようなクッション材Ａ２１が配されている靴Ａとしては、例えば、ランニングシューズ、ウォーキングシューズ、ビジネスシューズ等が挙げられる。
【００２６】
本実施形態のパッド１によると、甲被Ａ１内側の側面Ａ２の形状及び大きさに適合させて裁断することで、側面にＡ２に最適な状態で着脱自在、且つ定位置に、ずれが生じないように装着することができる。したがって、フィッティング後の靴Ａのバランスの崩れを防止できるとともに、靴Ａ着用後のパッド１の再調整を不要にでき、且つ足のホールド性能の低下を防止でき、しかも、一つのパッド１で様々な靴Ａのフィッティングをすることができる。
【００２７】
図３は、パッド１の第２実施形態を示す構成図である。尚、第１実施形態のパッド１と重複する部位についての説明は、同符号を付すことにより省略する。
【００２８】
本実施形態のパッド１は、方形状に形成されたものであり、使用者がパッド１を任意の形状及び大きさに裁断して側面Ａ２に装着できるようにしたものである。このパッド１の面状ファスナ３は、パッド本体２の全域に接着されており、どの部分を裁断しても面状ファスナ３が残るようになっている。
【００２９】
本実施形態のパッド１によると、第１実施形態のパッド１と同様の作用効果を有し、更に、靴Ａごとに異なる甲被Ａ１内側の側面Ａ２の形状及び大きさに裁断することができるとともに、側面Ａ２の所望部分に装着する場合に、この所望部分の形状・大きさに切断することで対応することができる。
【００３０】
尚、本実施形態のパッド１には、切り取り線４２〜４５が設けられていないもので例示しているが、このようなパッド１にも、切り取り線４２〜４５を設けてもよい（図示せず）。また、方形状に限定するものではない。また、本実施形態のパッド１の形状は、方形に限定するものではない。
【００３１】
次に、第１実施形態及び第２実施形態のパッド１の製造方法の一例を説明する（図示せず）。尚、パッド１の製造方法は、例示する製造方法に限定するものではない。まず、シート状に形成したパッド本体２の表面２０に面状ファスナ３を接着固定するとともに、パッド本体２の裏面２１にシート状のカバーシート４を接着してパッド部材を形成する。形成されたパッド部材を、第１実施形態及び第２実施形態に示す形状になるように裁断することでパッド１を製造することができる。
【００３２】
第１実施形態のパッド１を製造する場合、面状ファスナ３を貼り付け形態は、図１（ａ）に示すようにパッド本体２の中央部を除く部分に貼り付ける形態とする。このような面状ファスナ３を貼り付け形態により、図１（ａ）に示すパッド１を製造することができる。また、切り取り線４２〜４５は、あらかじめカバーシート４に印刷等で設けることが好ましい。また、パッド１の製造方法は、定型状とするパッド本体２に面状ファスナ３及びカバーシート４を貼り付けて所定形状に裁断する製造方法としてもよいし（図示せず）、長尺状、且つロール状にしたパッド本体２、面状ファスナ３、カバーシート４を引き出しながら連続するように貼り付けて長尺状のパッド部材を製造し、このパッド部材を所定形状に裁断する製造方法としてもよい（図示せず）。また、パッド部材を所定形状に裁断する方法として、所定の形状に形成された裁断刃で型抜き状に裁断する方法（図示せず）やカッターなどで所定の形状に沿って裁断する方法（図示せず）が挙げられる。
【００３３】
尚、本発明は、例示した実施形態に限定するものではなく、特許請求の範囲の各項に記載された内容から逸脱しない範囲の構成による実施が可能である。
【符号の説明】
【００３４】
１：パッド（靴用インナーパッド）
２：パッド本体
３：面状ファスナ
２０：表面（一端面）
３０：掛合体
４２：切り取り線
４３：切り取り線
４４：切り取り線
４５：切り取り線
Ａ：靴
Ａ１：甲被
Ａ２：側面
【図１】
2011224093.tif 000003
【図２】
2011224093.tif 000004
【図３】
2011224093.tif 000005